【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
表示画面におけるユーザの視線の位置に関する情報を含むユーザの目に関する情報に基づいて、オブジェクトの選択に関する所定の条件を満たすかを判定する判定部と、
前記選択に関する所定の条件を満たすと判定された場合に、前記表示画面において前記ユーザの目に関する情報が示す視線の位置に表示されているオブジェクトを、選択された状態とする表示制御部と、
を備える、情報処理装置。
【請求項２】
前記判定部は、
前記ユーザの目に関する情報が示す視線の位置が、選択された状態とされうる対象のオブジェクトである選択候補オブジェクトが表示される前記表示画面の第１領域内である時間が、設定されている第１設定時間よりも長い場合、または、
前記ユーザの目に関する情報が示す視線の位置が前記第１領域内である時間が、前記第１設定時間以上である場合に、
前記選択に関する所定の条件を満たすと判定する、請求項１に記載の情報処理装置。
【請求項３】
前記判定部は、
前記第１設定時間を、前記ユーザの目に関する情報が示す視線の位置の変化に基づくユーザの目の動きの大きさに基づいて、動的に設定し、
動的に設定された前記第１設定時間に基づいて、前記選択に関する所定の条件を満たすかを判定する、請求項２に記載の情報処理装置。
【請求項４】
前記判定部は、予め設定されている前記第１設定時間に基づいて、前記選択に関する所定の条件を満たすかを判定する、請求項２に記載の情報処理装置。
【請求項５】
前記ユーザの目に関する情報には、ユーザの目の動作に関する情報が含まれ、
前記判定部は、前記目の動作に関する情報に基づいて、所定の目の動作が検出された場合に、前記選択に関する所定の条件を満たすと判定する、請求項１に記載の情報処理装置。
【請求項６】
前記表示制御部は、
オブジェクトが選択された状態ではない場合には、前記ユーザの目に関する情報に基づいて、前記ユーザの目に関する情報が示すユーザの視線の位置に応じて前記表示画面に表示される位置が移動する移動オブジェクトを、前記表示画面における前記ユーザの目に関する情報が示すユーザの視線の位置に対応する位置に表示させ、
オブジェクトが選択された状態である場合には、前記表示制御部は、前記ユーザの目に関する情報が示すユーザの視線の位置が変化したとしても、前記移動オブジェクトが表示画面に表示される位置を変えない、請求項１〜５のいずれか１項に記載の情報処理装置。
【請求項７】
前記表示制御部は、前記表示画面における前記ユーザの目に関する情報が示すユーザの視線の位置が、選択された状態とされうる対象のオブジェクトである選択候補オブジェクトが表示される前記表示画面の領域内に存在する場合に、前記移動オブジェクトを選択的に表示させる、請求項６に記載の情報処理装置。
【請求項８】
前記選択に関する所定の条件を満たすと判定されてオブジェクトを選択された状態とする場合には、前記移動オブジェクトの表示態様を変化させる、請求項６、または７に記載の情報処理装置。
【請求項９】
前記表示制御部により選択された状態とされる前記オブジェクトは、前記ユーザの目に関する情報が示すユーザの視線の位置に応じて表示画面に表示される位置が移動しない静的なオブジェクトである、請求項１〜５のいずれか１項に記載の情報処理装置。
【請求項１０】
前記表示制御部により前記オブジェクトが選択された状態とされている場合、
前記判定部は、前記ユーザの目に関する情報に基づいて、オブジェクトの選択の解除に関する所定の条件を満たすかを判定し、
前記表示制御部は、前記選択の解除に関する所定の条件を満たすと判定された場合に、選択された状態である前記オブジェクトを、選択されていない状態とする、請求項１〜９のいずれか１項に記載の情報処理装置。
【請求項１１】
前記判定部は、
前記ユーザの目に関する情報が示す視線の位置が前記表示画面の第２領域内である時間が、設定されている第２設定時間よりも長い場合、または、
前記ユーザの目に関する情報が示す視線の位置が前記第２領域内である時間が、前記第２設定時間以上である場合に、
前記選択の解除に関する所定の条件を満たすと判定し、
前記第２領域は、選択された状態とされうる対象のオブジェクトである選択候補オブジェクトであって、かつ選択された状態である前記オブジェクトとは異なるオブジェクトが表示される、前記表示画面の領域である、請求項１０に記載の情報処理装置。
【請求項１２】
前記判定部は、
前記第２設定時間を、前記ユーザの目に関する情報が示す視線の位置の変化に基づくユーザの目の動きの大きさに基づいて、動的に設定し、
動的に設定された前記第２設定時間に基づいて、前記選択の解除に関する所定の条件を満たすかを判定する、請求項１１に記載の情報処理装置。
【請求項１３】
前記判定部は、予め設定されている前記第２設定時間に基づいて、前記選択の解除に関する所定の条件を満たすかを判定する、請求項１１に記載の情報処理装置。
【請求項１４】
前記表示制御部は、ユーザの目に関する情報が示す視線の位置が前記第２領域内である場合には、前記視線の位置が前記第２領域内にある時間に応じて、選択された状態である前記オブジェクトに関する表示態様を段階的に変える、請求項１１〜１３のいずれか１項に記載の情報処理装置。
【請求項１５】
前記表示制御部は、ユーザの目に関する情報が示す視線の位置が前記第２領域内である場合には、前記第２領域に対応する前記選択候補オブジェクトの表示態様を変える、請求項１１〜１４のいずれか１項に記載の情報処理装置。
【請求項１６】
前記ユーザの目に関する情報には、ユーザの目の動作に関する情報が含まれ、
前記判定部は、前記目の動作に関する情報に基づいて、所定の目の動作が検出された場合に、前記選択の解除に関する所定の条件を満たすと判定する、請求項１０に記載の情報処理装置。
【請求項１７】
表示画面におけるユーザの視線の位置に関する情報を含むユーザの目に関する情報に基づいて、オブジェクトの選択に関する所定の条件を満たすかを判定するステップと、
前記選択に関する所定の条件を満たすと判定された場合に、前記表示画面において前記ユーザの目に関する情報が示す視線の位置に表示されているオブジェクトを、選択された状態とするステップと、
を有する、情報処理装置により実行される情報処理方法。
【請求項１８】
表示画面におけるユーザの視線の位置に関する情報を含むユーザの目に関する情報に基づいて、オブジェクトの選択に関する所定の条件を満たすかを判定するステップ、
前記選択に関する所定の条件を満たすと判定された場合に、前記表示画面において前記ユーザの目に関する情報が示す視線の位置に表示されているオブジェクトを、選択された状態とするステップ、
をコンピュータに実行させるためのプログラム。
【手続補正２】
【補正対象書類名】明細書
【補正対象項目名】００６４
【補正方法】変更
【補正の内容】
【００６４】
より具体的には、本実施形態に係る情報処理装置は、例えば、ユーザの目に関する情報が示す視線の位置が、表示画面の第２領域内である時間が、設定されている第２設定時間よりも長い場合に、選択の解除に関する所定の条件を満たすと判定する。また、本実施形態に係る情報処理装置は、例えば、ユーザの目に関する情報が示す視線の位置が第２領域内である時間が、第２設定時間以上である場合に、選択の解除に関する所定の条件を満たすと判定してもよい。
【手続補正３】
【補正対象書類名】明細書
【補正対象項目名】０１２６
【補正方法】変更
【補正の内容】
【０１２６】
（ＩＩ）本実施形態に係る情報処理方法に係る処理の第２の適用例：図２に示すＢ
図２に示すＢは、本実施形態に係る情報処理方法に係る処理が、ゲームにおける回答選択に適用される場合の一例を示している。図２のＢでは、符号Ｏ２〜Ｏ４で示されるオブジェクトそれぞれが、ユーザそれぞれに対応するユーザの目に関する情報が示すユーザの視線の位置に表示される移動オブジェクトを示している。図２のＢでは、撮像されたユーザの顔部分を示す撮像画像が移動オブジェクトとして用いられる例を示しているが、図２のＢの例に係る移動オブジェクトは、例えば、ユーザそれぞれに対応するキャラクターを示す画像や、文字が表示される画像など、任意の画像であってもよい。また、図２のＢでは、符号ＳＥＬ１、ＳＥＬ２で示されるオブジェクトが、本実施形態に係る選択候補オブジェクトの一例に該当する。
【手続補正４】
【補正対象書類名】明細書
【補正対象項目名】０１３２
【補正方法】変更
【補正の内容】
【０１３２】
ユーザが、一定時間（例えば、ノーティフィケーションオブジェクトが示す内容を一読できる程度の時間など）ノーティフィケーションオブジェクトを見た場合には、ノーティフィケーションオブジェクトは張り付く。つまり、張り付いたノーティフィケーションオブジェクトは、ユーザの視線に追従して動かなくなる。そして、ノーティフィケーションオブジェクトは、その後（例えば数秒後など）、表示画面から消える。ここで、図２のＣに示す例では、ノーティフィケーションオブジェクトが張り付き、表示画面から消えることによって、ノーティフィケーションオブジェクトが選択されたこととなる。上記は、本実施形態に係る情報処理装置が、例えば、上記（１−１）に示す第１の例に係る判定処理、および上記（２−２）に示す第２の例に係る表示制御処理を行うことによって、実現される。
【手続補正５】
【補正対象書類名】明細書
【補正対象項目名】０１５２
【補正方法】変更
【補正の内容】
【０１５２】
また、情報処理装置１００は、例えば、スタンドアロンで処理を行う構成である場合には、通信インタフェース１６４を備えていなくてもよい。また、情報処理装置１００は、記録媒体１５６や、操作デバイス１６０、表示デバイス１６２を備えない構成をとることも可能である。